(57)【特許請求の範囲】
【請求項１】
工具ホルダのロックナットの外周面に接触して前記ロックナットの締め付け方向または緩め方向に回される頭部と、
前記頭部と結合する柄部と、
中央部が前記頭部に揺動可能に取り付けられて、一方端部および他方端部が前記頭部に近づいたり前記頭部から遠ざかったりするレバー部材と、
前記レバー部材に付勢力を付与して当該レバー部材の揺動を抑制するレバー部材安定機構とを備え、
前記レバー部材の前記一方端部は、前記ロックナットの外周面に形成された凹部に嵌まり込む突起であって、前記凹部の締め付け側の側壁に当接して前記締め付け方向のトルクを付与し、前記凹部の緩め側の側壁に当接して前記緩め方向の力を受けることにより前記ロックナットの外径方向に押し出され前記付勢力に抗して前記凹部から離脱する締め付けフックを含み、
前記レバー部材の前記他方端部は、前記ロックナットの外周面に形成された凹部に嵌まり込む突起であって、前記凹部の緩め側の側壁に当接して前記緩め方向のトルクを付与し、前記凹部の締め付け側の側壁に当接して前記締め付け方向の力を受けることにより前記ロックナットの外径方向に押し出され前記付勢力に抗して前記凹部から離脱する緩めフックを含み、
前記頭部には前記締め付けフックおよび前記緩めフックのいずれか一方を選択的に収容する窪み空間が形成され、
前記締め付けフックが前記窪み空間に収容されて前記締め付け方向のトルクを付与する間、前記緩めフックは前記窪み空間から退出して前記頭部から遠ざかり、
前記緩めフックが前記窪み空間に収容されて前記緩め方向のトルクを付与する間、前記締め付けフックは前記窪み空間から退出して前記頭部から遠ざかる、フックスパナ。
【請求項２】
前記突起は、前記ロックナットの内径方向に向かって先細となる三角形状である、請求項１に記載のフックスパナ。
【請求項３】
前記レバー部材は前記柄部の軸線と交差して延びる、請求項１または２に記載のフックスパナ。
【請求項４】
前記頭部は環状であって前記頭部の中心開口に前記ロックナットを受け入れ、
前記柄部は環状の前記頭部を中心として、周方向に異なる２箇所に設けられる、請求項１〜３のいずれかに記載のフックスパナ。
【請求項５】
前記柄部は周方向に１８０度異なる２箇所に設けられて、これら２本の柄部は頭部を挟んで直線状に延びる、請求項４に記載のフックスパナ。
【請求項６】
前記柄部の両端のうち前記頭部とは反対側に位置する末端には、球部が設けられる、請求項４または５に記載のフックスパナ。
【請求項７】
前記柄部の両端領域のうち前記頭部とは反対側に位置する末端領域は、他の領域よりも摩擦係数が大きな表面を有する、請求項１〜６のいずれかに記載のフックスパナ。
【請求項８】
前記柄部の両端領域のうち前記頭部とは反対側に位置する末端領域は、ラバーからなる被覆層で覆われる、請求項１〜６のいずれかに記載のフックスパナ。
【請求項９】
前記柄部と前記頭部の結合箇所は、着脱可能な連結部である、請求項１〜８のいずれかに記載のフックスパナ。
【発明の詳細な説明】
【技術分野】
【０００１】
本発明は、ミーリングチャックやテーパコレットチャックといった工具ホルダに係合し、ロックナット（回転部材）を締め付けて刃具のシャンク部をチャッキングしたり、あるいは緩めてチャッキングを解除したりするスパナに関する。
【背景技術】
【０００２】
工具ホルダとして従来、特開平１０−１６６２０７号公報の図６に記載のテーパコレットチャックや、特開平０９−２５３９６６号公報の図３に記載のミーリングチャックが知られている。例えばミーリングチャックに刃具をチャックする場合、ミーリングチャック先端のチャック部の外周に設けられた締付用ナット、締付金具、回動筒、等の様々な呼び名があるロックナット（回転部材）を緩め、チャック部の先端中心に形成された工具保持孔に刃具のシャンク部を差し込み、再び回転部材を締め付ける。工具ホルダから刃具を取り外す場合は、上述した手順とは逆の手順を行うとよい。このように工具ホルダのロックナットを締め付けたり緩めたりする場合、例えば図１０に示すＣスパナ２０１（引掛スパナ、あるいはフックスパナとも呼ばれる）が用いられる。Ｃスパナ２０１は円弧状に延びる頭部２０２と、頭部２０２と結合して直線状に延びる柄部２０３を備える。頭部２０２の先端には内径方向に突出するフック２０４が形成される。作業者はＣスパナ２０１の柄部２０３を握り、Ｃスパナ２０１の頭部２０２を回転部材２１１の外周面に接触させ、フック２０４を回転部材２１１の外周に形成された凹部２１２（係止溝、切欠ともいう）に引っ掛けて、回転部材２１１を手動で回転させる。
【先行技術文献】
【特許文献】
【０００３】
【特許文献１】特開平１０−１６６２０７号公報  図６
【特許文献２】特開平０９−２５３９６６号公報  図３
【発明の概要】
【発明が解決しようとする課題】
【０００４】
テーパコレットチャックの場合、ロックナットを締め付けてスリ割りの入ったテーパコレットチャックを押し縮めることによって刃具のシャンク部を把持するため、一般的に締め付けトルクは小さな値となる。これに対しミーリングチャックの場合にはロックナットを締め付けてニードルローラによりミーリングチャック本体を弾性変形させて刃具のシャンク部を把持するため、より強力な締め付けトルクで回転部材を締め付けなければならない。そうするとミーリングチャックにチャッキングされる刃具を取り換える作業に従事する作業者が１日に数十本ものロックナットを締め付ける場合、重労働となって疲労してしまう。
【０００５】
本発明は、上述の実情に鑑み、ミーリングチャックをはじめとして工具ホルダのロックナットの締め付け作業の効率を向上可能なスパナを提供することを目的とする。
【課題を解決するための手段】
【０００６】
この目的のため本発明によるフックスパナは、工具ホルダのロックナットの外周面に接触してロックナットの締め付け方向または緩め方向に回される頭部と、頭部と結合する柄部と、中央部が頭部に揺動可能に取り付けられて一方端部および他方端部が頭部に近づいたり頭部から遠ざかったりするレバー部材と、レバー部材に付勢力を付与して当該レバー部材の揺動を抑制するレバー部材安定機構とを備える。そしてレバー部材の一方端部はロックナットの外周面に形成された凹部に嵌まり込む突起であって、凹部の締め付け側の側壁に当接して締め付け方向のトルクを付与し、凹部の緩め側の側壁に当接して緩め方向の力を受けることによりロックナットの外径方向に押し出されレバー部材安定機構の付勢力に抗して凹部から離脱する締め付けフックを含む。またレバー部材の他方端部はロックナットの外周面に形成された凹部に嵌まり込む突起であって、凹部の緩め側の側壁に当接して緩め方向のトルクを付与し、凹部の締め付け側の側壁に当接して締め付け方向の力を受けることによりロックナットの外径方向に押し出されレバー部材安定機構の付勢力に抗して凹部から離脱する緩めフックを含み、頭部には締め付けフックおよび緩めフックのいずれか一方を選択的に収容する窪み空間が形成され、締め付けフックが窪み空間に収容されて締め付け方向のトルクを付与する間に緩めフックは窪み空間から退出して頭部から遠ざかり、反対に緩めフックが窪み空間に収容されて緩め方向のトルクを付与する間に締め付けフックは窪み空間から退出して頭部から遠ざかる。
【０００７】
かかる本発明によれば、ラチェット機構を実現し得て、フックスパナの頭部をロックナットに当てたまま締め付け方向および逆方向に交互にフックスパナを回転させて、ロックナットを効率よく締め付けることができる。したがって締め付け作業および緩め作業が軽減される。またレバー部材の両端部のいずれかが頭部から遠ざかることから、レバー部材が締め付け位置および緩め位置のどちらにセットされているのか視認し易く、作業効率が向上する。
【０００８】
本発明のフックスパナは、正方向に回されるとロックナットと係合してロックナットにトルクを付与し、逆方向に回されるとロックナットとの係合が解除されて空回りする。レバー部材の端部に設けられる突起の形状は、ロックナットと係合するものであれば特に限定されない。本発明の一実施形態として突起はロックナットの内径方向に向かって先細となる三角形状である。かかる実施形態によれば、フックスパナが逆方向に回されるとロックナットの外周面に沿って空回りすることができ、ラチェット機構が実現する。突起は例えば直角三角形である。
【０００９】
レバー部材の配置箇所は特に限定されない。本発明の好ましい実施形態としてレバー部材は柄部の軸線と交差して延びる。かかる実施形態によればレバー部材の位置を極めて容易に視認し得て、作業効率が益々向上する。柄部の軸線とは柄部の断面中心を通り柄部の長手方向に延びる仮想線をいう。他の実施形態としてレバー部材は頭部に設けられ、柄部の軸線から離れていてもよい。
【００１０】
頭部の形状は特に限定されない。本発明の好ましい実施形態として頭部は環状であって頭部の中心開口にロックナットを受け入れ、柄部は環状の頭部を中心として、周方向に異なる２箇所に設けられる。かかる実施形態によれば、２本の柄部を備えることから作業者は柄部を握り易くなり、締め付け作業および緩め作業を効率よく行うことができる。本発明の他の実施形態として柄部は１本のみであってもよい。またロックナットが環状の頭部に受け入れられることから、作業者はロックナットに締め付け方向ないし緩め方向のトルクを付与し易くなる。
【００１１】
本発明のさらに好ましい実施形態として柄部は周方向に１８０度異なる２箇所に設けられて、これら２本の柄部は頭部を挟んで直線状に延びる。本発明の他の実施形態として、柄部は１８０度以外の角度をなすよう周方向に異なる２箇所に設けられる。
【００１２】
本発明の一実施形態として柄部の両端のうち頭部とは反対側に位置する末端には球部が設けられる。かかる実施形態によれば工具ホルダを作業台の上面に設置されたツールクランパでクランプし、ツールクランパによって作業台の上面と平行に保持される工具ホルダに本発明のフックスパナを係合し、フックスパナの２本の柄部のうちの片方を握って締め付ける作業をする際、残りの柄部の末端に設けられた球部が作業台の上面に接触し、ストッパの役目をする。
【００１３】
本発明の他の実施形態として柄部の両端領域のうち頭部とは反対側に位置する末端領域は、摩擦係数が大きくなるよう表面処理が施される。かかる実施形態によれば柄部を握る際に柄部が滑り難くなり作業効率が向上する。摩擦係数が大きくなるよう表面処理としては例えば凹凸形状を設けることである。凹凸形状は例えばローレット、梨地が挙げられる。あるいは本発明の他の実施形態として柄部の両端領域のうち頭部とは反対側に位置する末端領域は、ラバーで被覆される。かかる実施形態によれば柄部を握り易くなり作業負担が少なくなる。また柄部を握る際に柄部が滑り難くなり作業効率が向上する。
【００１４】
本発明の好ましい実施形態として柄部は頭部と着脱可能に連結する。かかる実施形態によれば、長さの異なる柄部や形状の異なる柄部を複数準備しておくことで柄部が交換可能となり、様々な型式の工具ホルダに対して効率良く作業することができる。
【発明の効果】
【００１５】
このように本発明によれば、ミーリングチャックのロックナットを締め付けたり緩めたりする作業において作業負担が軽減される。したがって従来よりも効率良く作業することができ、作業者が１日に多くのロックナットを締め付けたり解除したりして刃具を交換しても、疲労が緩和される。
【図面の簡単な説明】
【００１６】
【図１】本発明の一実施形態になるフックスパナを示す平面図である。
【図２】同実施形態のフックスパナを示す側面図である。
【図３】頭部および中立位置にされたレバー部材を拡大して示す断面図である。
【図４】頭部および締め付け位置にされたレバー部材を拡大して示す断面図である。
【図５】頭部および緩め位置にされたレバー部材を拡大して示す断面図である。
【図６】レバー部材の締め付けフックが中央開口から一時的に退出する状態を示す断面図である。
【図７】レバー部材の緩めフックが中央開口から一時的に退出する状態を示す断面図である。
【図８】同実施形態のフックスパナを分解平面図であり、頭部に着脱可能な柄部を列挙して表す。
【図９】ツールクランパおよび同実施形態を用いてロックナットを締め付ける作業を示す説明図である。
【図１０】従来のＣスパナを用いて回転部材を回す操作を示す説明図である。
【発明を実施するための形態】
【００１７】
以下、本発明の実施の形態を、図面に基づき詳細に説明する。図１は本発明の一実施形態になるフックスパナを示す平面図であり、図２は同実施形態を示す側面図であり、図３は頭部を拡大して示す断面図であり、いずれの図面も中立位置にされたレバー部材を表す。図４は頭部および締め付け位置にされたレバー部材を拡大して示す断面図である。図５は頭部および緩め位置にされたレバー部材を拡大して示す断面図である。フックスパナ１０は、頭部１１と、柄部２１，２２と、レバー部材３１と、レバー部材安定機構４１を備える。頭部１１はリング状であり、円形の中心開口１２を有する。この中心開口１２には図２〜図５に仮想線で示すようにミーリングチャックのロックナット１０１が差し込まれる。頭部１１は、図３〜図５に仮想線で示すようにロックナット１０１の外周面１０２に接触する。そしてロックナット１０１を中心として図４に細い矢で示すようにロックナット１０１の締め付け方向に回されたり、図５に細い矢で示すようにロックナット１０１の緩め方向に回されたりする。ロックナット１０１は例えば図２に示すように、ミーリングチャック本体１００の外周に相対回動可能に取り付けられた回動筒である。ロックナット１０１に包囲されるミーリングチャック本体１００の先端中心にはエンドミル等の刃具１１０が差し込まれてチャッキングされる。
【００１８】
柄部２１，２２はそれぞれ、互いに異なる位置で頭部１１と結合して、直線状に延びる円柱体である。本実施形態では長さの異なる２本の柄部を有する。これらの柄部２１，２２は頭部１１の周方向に１８０度離れて配置され、頭部１１を挟んでストレートに連続して延びる。柄部２１，２２の両端のうち頭部１１から遠い側に位置する末端は、平坦な円形端面とされる。
【００１９】
レバー部材３１は、長い方の柄部２２と頭部１１との結合部に設けられて、少なくともレバー部材３１の中央部３２が頭部１１に形成された空間１３（図２）に収容される。空間１３は中心開口１２の内周壁面に沿って形成された窪みであって図３〜図５に示すように周方向に延びる。空間１３の周方向両端部は、頭部１１を径方向に貫通する。空間１３の周方向中央部にはシャフト３３が設けられる。シャフト３３は中心開口１２の中心軸と平行に延び、シャフト３３の両端部が頭部１１に支持され、シャフト３３の中央部が空間１３を横断するとともにレバー部材３１の中央部３２を貫通する。レバー部材３１はシャフト３３に回動可能に枢支されて、図３〜図５に示すように揺動することができる。図３に示すレバー部材３１の中立位置で、レバー部材３１の両端部（一方端部３４，他方端部３５）は頭部１１から遠ざかる。図４に示すレバー部材３１の締め付け位置で、一方端部３４は太い矢で示すように頭部１１に近づくとともに他方端部３５は頭部１１から遠ざかる。図５に示すレバー部材３１の緩め位置で、一方端部３４は頭部１１から遠ざかるとともに他方端部３５は太い矢で示すように頭部１１に近づく。このようにレバー部材３１は揺動することによって締め付け位置と、中立位置と、緩め位置に選択的にされる。つまりレバー部材３１は柄部２２に沿って長手方向に延びる軸線を横切るように設けられ、柄部２２から突出するレバー部材３１の両端部が柄部２２から離れる。
【００２０】
レバー部材安定機構４１は、ボール４２、スプリング４３、および被係合部４４ｔ，４４ｎ，４４ｓ、および調整ねじ４５を有し、レバー部材３１が不用意に揺動しないよう、レバー部材３１を締め付け位置、中立位置、および緩め位置の各位置に保持する。
【００２１】
頭部１１には、一端が空間１３と接続し他端が開口端をなして中心開口１２の半径方向に延びる小孔１４が形成される。ボール４２は、小孔１４の内部に収容され、小孔１４内を移動することができる。これによりボール４２はレバー部材３１の中央部３２に向かって進退動可能に案内される。スプリング４３は、小孔１４の内部に収容され、ボール４２を中央部３２に向かって付勢する。被係合部４４ｔ，４４ｎ，４４ｓは、例えば円弧状の窪みであり、中央部３２に形成されて、ボール４２をそれぞれ受け入れる。これら３つの被係合部４４ｔ，４４ｎ，４４ｓはシャフト３３を中心として周方向に互いに隣り合うように配列される。
【００２２】
調整ねじ４５は、小孔１４の開口端に螺合して、小孔１４を閉塞し、スプリング４３の一端を支持する。調整ねじ４５を中心開口１２から遠ざかる方向に緩め回転させると、スプリング４３の付勢力が弱められる。反対に調整ねじ４５を中心開口１２に近づく方向に締め付け回転させると、スプリング４３の付勢力が強められる。
【００２３】
被係合部４４ｎは中立位置に対応し、ボール４２がスプリング４３の付勢力を受けて被係合部４４ｎに係合することによって、レバー部材３１は中立位置に保持される。被係合部４４ｔは締め付け位置に対応し、ボール４２がスプリング４３の付勢力を受けて被係合部４４ｔに係合することによって、レバー部材３１は締め付け位置に保持される。被係合部４４ｓは緩め位置に対応し、ボール４２がスプリング４３の付勢力を受けて被係合部４４ｓに係合することによって、レバー部材３１は緩め位置に保持される。
【００２４】
ただしレバー部材３１がシャフト３３回りの外力を受け、この外力が所定値以上である場合、ボール４２は外力に抗しきれずに被係合部４４ｔ，４４ｎ，４４ｓから滑り出るように退出する。これによりレバー部材３１は揺動することができ、レバー部材３１の位置が変化する。このようにしてレバー部材３１の位置は、締め付け位置と、中立位置と、緩め位置の間を段階的に変化する。
【００２５】
レバー部材安定機構４１のスプリング４３がボール４２に付与する付勢力は、締め付け位置と、中立位置と、緩め位置の間を変化するような大きな揺動を抑制する。しかし後述する締め付けフック３６および緩めフック３７が中心開口１２から退出する程度の小さな揺動を妨げない。
【００２６】
レバー部材３１の一方端部３４は爪状の締め付けフック３６を含み、他方端部３５は爪状の緩めフック３７を含む。レバー部材３１の中央部３２に関し、一方端部３４および他方端部３５は対称形状とされる。同様に締め付けフック３６および緩めフック３７も対称形状とされる。
【００２７】
まず締め付けフック３６について詳細に説明する。
【００２８】
締め付けフック３６は一方端部３４に形成されて頭部１１に指向する突起であり、図４に示すように中心開口１２に進出して、ロックナット１０１に形成された凹部１０３に嵌まり込む。締め付けフック３６は具体的にはロックナット１０１の内径方向に向かって先細の三角形状であり、中心開口１２の内周壁面と直交する直角縁３６ａおよび中心開口１２の内周壁面と斜めに交差する傾斜縁３６ｂを含む。直角縁３６ａは締め付け方向側に、傾斜縁３６ｂは緩め方向側にそれぞれ配置される。締め付けフック４６の根元から先端に向かう傾斜縁３６ｂの傾斜方向は締め付け方向と鋭角をなす。
【００２９】
中心開口１２の内径はロックナット１０１の外径よりも僅かに大きく、中心開口１２内周壁面と外周面１０２の間に殆ど隙間がない。凹部１０３は外周面１０２に周方向等間隔に複数形成されている。各凹部１０３は、締め付け側の側壁１０３ａおよび緩め側の側壁１０３ｂを有する。側壁１０３ａおよび側壁１０３ｂは外周面１０２の周方向に対面する。
【００３０】
レバー部材３１が図４に示す締め付け位置にされるとき、締め付けフック３６は凹部１０３に嵌まり込む。そして頭部１１が細い矢で示す締め付け方向に回転するとき、締め付けフック３６の直角縁３６ａが締め付け側の側壁１０３ａに当接して締め付け方向のトルクをロックナット１０１に付与する。
【００３１】
これに対し締め付け位置で頭部１１が逆方向（緩め方向）に回転するとき、締め付けフック３６の傾斜縁３６ｂが締め付け側の側壁１０３ａに当接して周方向力を受けて、締め付けフック３６はロックナット１０１の外径方向に押し出され、図６に示すようにレバー部材安定機構４１の付勢力に抗して凹部１０３から離脱する。これにより頭部１１はロックナット１０１の外周面１０２を緩め方向に空回りし、締め付けフック３６が他の凹部１０３と対面する位置まで相対回転すると、締め付けフック３７は他の凹部１０３に嵌まり込む。
【００３２】
かくしてロックナット１０１を締め付ける作業において、作業者は作業台の上面に設置されるツールクランパにミーリングチャック本体をクランプし、中心開口にロックナット１０１を通し、レバー部材３１を締め付け位置にしてレバー部材３１を凹部１０３に係合させ、長い方の柄部２２を握り、フックスパナ１０を締め付け方向および緩め方向に交互に回動させるとき、短い方の柄部２１が作業台に当たりストッパの役目をすることにより、ロックナット１０１を従来よりも効率よく締め付けることができる。
【００３３】
またレバー部材３１の締め付け位置でフックスパナ１０が締め付け方向に回されると、締め付けフック３６は中心開口１２へ進出したまま締め付け方向のトルクをロックナット１０１に与えることができ（図４）、反対にフックスパナ１０が緩め方向に回されると（図６）、締め付けフック３６は中心開口１２から退出する。このようにフックスパナ１０はラチェットのように双方向に交互に回動し得ることから、作業者はフックスパナ１０をいちいちロックナット１０１から外す必要がなく、作業者の工数が軽減される。
【００３４】
次に緩めフック３７について詳細に説明する。
【００３５】
緩めフック３７は他方端部３５に形成されて頭部１１に指向する突起であり、図５に示すように中心開口１２に進出して凹部１０３に嵌まり込む。緩めフック３７はロックナット１０１の内径方向に向かって先細の三角形状であり、中心開口１２の内周壁面と直交する直角縁３７ａおよび中心開口１２の内周壁面と斜めに交差する傾斜縁３７ｂを含む。直角縁３７ａは緩め方向側に、傾斜縁３７ｂは締め付け方向側にそれぞれ配置される。緩めフック３７の根元から先端に向かう傾斜縁３７ｂの傾斜方向は緩め方向と鋭角をなす。
【００３６】
レバー部材３１が図５に示す緩め位置にされるとき、緩めフック３７は凹部１０３に嵌まり込む。そして頭部１１が細い矢で示す緩め方向に回転するとき、緩めフック３７の直角縁３７ａが凹部１０３の緩め側の側壁１０３ｂに当接して緩め方向のトルクをロックナット１０１に付与する。
【００３７】
これに対し緩め位置で頭部１１が逆方向（締め付け方向）に回転するとき、緩めフック３７の傾斜縁３７ｂが締め付け側の側壁１０３ａに当接して周方向力を受けることにより、緩めフック３７はロックナット１０１の外径方向に押し出され、図７に示すようにレバー部材安定機構４１の付勢力に抗して凹部１０３から離脱する。これにより頭部１１はロックナット１０１の外周面１０２を締め付け方向に空回りし、緩めフック３７が他の凹部１０３と対面する位置まで相対回転すると、緩めフック３７は他の凹部１０３に嵌まり込む。
【００３８】
かくしてロックナット１０１を緩める作業において、作業者は長い方の柄部２２を握り、レバー部材３１を緩め位置にして、フックスパナ１０を締め付け方向および緩め方向に交互に回動させるとき、短い方の柄部２１が作業台に当たってストッパの役目をすることにより、ロックナット１０１を効率よく緩めることができる。
【００３９】
またレバー部材３１の緩め位置でフックスパナ１０が緩め方向に回されると、緩めフック３７は中心開口１２へ進出したまま緩め方向のトルクをロックナット１０１に与えることができ、反対にフックスパナ１０が締め付け方向に回されると、緩めフック３７は中心開口１２から退出する。このようにフックスパナ１０はラチェット機構を具備し、トルクを付与する方向とは逆方向に空回りすることから、作業者はフックスパナ１０をいちいちロックナット１０１から外す必要がなく、作業者の工数が軽減される。
【００４０】
柄部２１，２２は頭部１１に分離不能に結合してもよいが、本実施形態では図８に分解して示すように柄部２１，２２の双方が頭部１１に着脱可能と連結する。頭部１１には１８０度離れた周方向に異なる位置に、連結凸部１５がそれぞれ形成される。各連結凸部１５は中心開口１２の外径方向に突出し、各連結凸部１５の外周には雄ねじが形成される。また連結凸部１５の中心には前述したレバー部材安定機構４１の小孔１４（図３〜図５）が同軸に形成される。柄部２１，２２の端面には、連結凸部１５を受け入れる連結凹部１６が形成される。連結凹部１６は各柄部の長手方向に窪んだ雌ねじ孔である。連結凸部１５を連結凹部１６に螺合させることによって柄部２１，２２は頭部１１と連結する。そして短い柄部２１と長い柄部２２は互いに入れ替わるよう配置可能である。
【００４１】
図８は、頭部１１と連結可能な柄部２３，２５，２７をさらに列挙して示す。柄部２３，２５，２７は柄部２２よりも短く、柄部２３，２５，２７の一端面には連結凹部１６がそれぞれ設けられる。柄部２３，２５，２７はいずれも、頭部１１の連結凸部１５と着脱可能に連結され、長い方の柄部２２と共に連続して直線状に延びる。
【００４２】
柄部２３の両端のうち頭部１１とは反対側に位置する末端には、球部２４が設けられる。球部２４は柄部２３の円形の断面よりも大きい。ロックナット１０１を締め付ける作業において、作業者は図９に示すように作業台の上面１２０に設置されるツールクランパ１２１にミーリングチャック本体１００をクランプし、柄部２２を握りフックスパナ１０を矢印方向に回すと、球部２４が作業台の上面１２０に当たり、球部２４はストッパの役目をする。したがって作業者はフックスパナ１０を楽に回して締め付け作業ないし緩め作業をすることができる。
【００４３】
柄部２５の両端領域のうち頭部１１とは反対側に位置する末端領域は、ラバー２６で被覆される。作業者が片手で柄部２２を握り片手で柄部２５を握りフックスパナ１０を回す際、柄部２５のラバー２６を握るとよい。ラバー２６は柔らかい握り心地と滑り止め効果を発揮する。これにより作業者はフックスパナ１０を楽に回して締め付け作業ないし緩め作業をすることができる。
【００４４】
柄部２７の両端領域のうち頭部１１とは反対側に位置する末端領域は、摩擦係数が大きくなるよう表面処理が施される。表面処理は例えば図８に示すローレットや、図示はしなかったがその他の凹凸模様が形成される。作業者が片手で柄部２２を握り片手で柄部２７を握りフックスパナ１０を回す際、柄部２７のローレット２８を握るとよい。ローレット２８は滑り止め効果を発揮する。これにより作業者はフックスパナ１０を楽に回して締め付け作業ないし緩め作業をすることができる。
【００４５】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【００４６】
この発明になるフックスパナは、工作機械において有利に利用される。
【符号の説明】
【００４７】
１０  フックスパナ、      １１，２０２  頭部、      １２  中心開口、      
１３  空間、      １４  小孔、      １５  連結凸部、      
１６  連結凹部、      ２１，２２，２３，２５，２７  柄部、      
２４  球部、      ２６  ラバー、      ２８  ローレット、      
３１  レバー部材、      ３２  中央部、      ３３  シャフト、      
３４  一方端部、      ３５  他方端部、      ３６  締め付けフック、      
３７  緩めフック、      ３６ａ，３７ａ  直角縁、      
３６ｂ，３７ｂ  傾斜縁、      ４１  レバー部材安定機構、      
４２  ボール、      ４３  スプリング、      
４４ｎ，４４ｓ，４４ｔ  被係合部、      ４５  調整ねじ、      
１００  ミーリングチャック本体、      １０１  ロックナット、      
１０２  外周面、      １０３  凹部、      １０３ａ，１０３ｂ  側壁、      
１１０  刃具。
【要約】
【課題】工具ホルダの締め付け作業において作業負担を軽減するスパナを提供する。
【解決手段】本発明のスパナは、工具ホルダのロックナット（１０１）の外周面（１０２）に接触してロックナットの締め付け方向または緩め方向に回される頭部（１１）と、揺動可能に取り付けられて締め付け位置あるいは緩め位置にされるレバー部材（３１）と、レバー部材の揺動を抑制するレバー部材安定機構（４１）とを備える。そしてレバー部材の一方端部（３４）はロックナットの外周面に形成された凹部（１０３）に嵌まり込む突起であって、凹部の締め付け側の側壁（１０３ａ）に当接して締め付け方向のトルクを付与し、凹部の緩め側の側壁（１０３ｂ）に当接して緩め方向の力を受けることによりロックナットの外径方向に押し出され凹部から離脱する締め付けフック（３６）を含む。
【選択図】図４【図１】
0005914715.tif 000002
【図２】
0005914715.tif 000003
【図３】
0005914715.tif 000004
【図４】
0005914715.tif 000005
【図５】
0005914715.tif 000006
【図６】
0005914715.tif 000007
【図７】
0005914715.tif 000008
【図８】
0005914715.tif 000009
【図９】
0005914715.tif 000010
【図１０】
0005914715.tif 000011